(57)【要約】  【課題】  ファンが発する振動が機器筐体へ伝わることを防止し、ファンの吸気又は排気が機器筐体内に漏れることを防止することができる電気機器及び防震部材を提供する。  【解決手段】  ファン２０のファン筐体２２を覆って保持する防震部材３０のファン保持部に一体的にダクト部を形成し、防震部材３０で覆われたファン２０を機器筐体の通風口に対向させて装着する。ファン保持部がファン２０の発する振動を吸収するため、機器筐体へ振動が伝わらず、ダクト部によって通気口からファン２０へ又はファン２０から通気口へ空気を導き、ファン２０の吸気又は排気を機器筐体内へ漏洩させない。【選択図】      図２
2006330300.tif 000002
【特許請求の範囲】
【請求項１】
吸気及び排気を行う通気面を有するファン筐体に羽根部材を収納したファンと、通気口が形成され、前記ファンを装着する装着部を有する機器筐体と、前記ファン及び前記機器筐体の間に介在して、前記ファンが発する振動を吸収する防震部材とを備える電気機器において、
前記防震部材は、
前記ファン筐体の前記通気面を開放した状態で、前記ファン筐体を覆って保持する保持部と、
該保持部と一体的に形成してあり、前記通気面の周囲を囲むように延出したダクト部とを有すること
を特徴とする電気機器。
【請求項２】
前記保持部は、前記防震部材で覆われた前記ファンを前記装着部に装着した場合に、前記装着部と接触する部分を他の部分よりも厚く形成してある請求項１に記載の電気機器。
【請求項３】
前記防震部材の前記ダクト部の延出端に鍔部が形成してある請求項１又は請求項２に記載の電気機器。
【請求項４】
前記装着部は、前記ダクト部の延出端を前記機器筐体の前記通風口が形成された面に当接させて、前記防震部材で覆われた前記ファンを装着するようにしてある請求項１乃至請求項３のいずれか１つに記載の電気機器。
【請求項５】
前記装着部は、前記ファンを前記機器筐体の内面に沿ってスライドさせて着脱し、前記通風口に対向して装着するようにしてある請求項１乃至請求項４のいずれか１つに記載の電気機器。
【請求項６】
前記機器筐体は開閉可能な蓋部及び該蓋部に覆われる本体部を有し、
前記装着部は、
前記本体部に設けてあり、前記防震部材で覆われた前記ファンを前記本体部の内面に沿ってスライド可能に保持するスライド保持部と、
前記蓋部に設けてあり、該蓋部を閉じた場合に、前記スライド保持部に保持された前記ファンを覆う前記防震部材に当接し、前記ファン及び前記防震部材を係止する当接係止部と
を有する請求項５に記載の電気機器。
【請求項７】
吸気及び排気を行う通気面を有するファン筐体に羽根部材を収納したファンが発する振動を吸収する防震部材において、
前記ファン筐体の前記通気面を開放した状態で、前記ファン筐体を覆って保持する保持部と、
該保持部と一体的に形成してあり、前記通気面の周囲を囲むように延出したダクト部と
を備えることを特徴とする防震部材。
【請求項８】
前記ダクト部の延出端に鍔部が形成してある請求項７に記載の防震部材。
【発明の詳細な説明】
【技術分野】
【０００１】
本発明は、機器筐体の内部に収容された電機部品又は機械部品等を冷却するためのファンを備える電気機器に関し、また、ファンが発する振動が電気機器の機器筐体へ伝わることを防止する防震部材に関する。
【背景技術】
【０００２】
コンピュータ又はプロジェクタ等の電気機器においては、動作に伴って機器筐体内に収容された電機部品又は機械部品等の温度が上昇するという問題があり、電気機器の動作に推奨される温度範囲を超えて温度が上昇した場合には、電気機器が誤動作する虞がある。このため、機器筐体内にファンを設け、機器筐体の外部から冷たい空気を取り入れる又は機器筐体内部の熱い空気を外部へ排出することにより、機器筐体内の冷却を行っている。
【０００３】
電気機器の冷却に用いられるファンには、軸流ファン及びシロッコファン等がある。軸流ファンは、回転駆動される羽根車の軸方向から空気が流入し、軸方向へ流出するファンである。シロッコファンは、遠心羽根車によって空気を圧送するファンであり、軸方向から流入した空気を、軸方向に垂直な方向へ流出する。
【０００４】
これらのファンは回転に伴って振動が発生するため、振動が機器筐体を伝わって内部の電機部品又は機械部品等に伝わり、動作に悪影響を与えるという問題があり、また、振動による振動音が電気機器の静粛性を悪化させるという問題がある。特に、家庭で使用する電気機器の場合には、静粛性が求められる。
【０００５】
特許文献１に記載のプロジェクタにおいては、機器筐体の底面に通風口を形成し、シロッコファンの吸入口が機器筐体の通風口に対向するように、シロッコファンを取り付ける場合に、シロッコファンと機器筐体の間に介在配置される略円環形のゴムスポンジ又はシリコンフォーム等による防震部材を備えて、シロッコファンが発する振動を吸収するようにしてある。防震部材はシロッコファンの吸入口の周囲に沿って取り付けてあるため、防震部材がダクトとしても作用するようにしてある。また、シロッコファンの周囲を囲む遮音壁を機器筐体の底面に立設し、シロッコファンの吸入口が形成された面の反対面に板状のゴムスポンジ又はシリコンフォーム等による吸音部材を全面にわたって取り付け、遮音壁の上部を覆う金属製のカバーで吸音部材を押さえてシロッコファンを機器筐体に固定するようにして、シロッコファンが発する騒音が外部へ漏れないようにしてある。
【特許文献１】特開２００５−１７４５８号公報
【発明の開示】
【発明が解決しようとする課題】
【０００６】
しかしながら、特許文献１に記載のプロジェクタにおいては、シロッコファンの吸入口が設けられている面及びその反対面のみに弾性材が設けられる構成であり、周囲の側面には弾性材が設けられておらず、シロッコファンの側面と機器筐体と一体的に設けられている遮音壁とが接触しているため、シロッコファンが発する振動が機器筐体へ伝わる虞がある。また、防震部材、吸音部材、カバー及びカバーを機器筐体へ固定するためのネジ等の多数の構成部品が必要であり、組み立てが煩雑であるという問題がある。
【０００７】
本発明は、斯かる事情に鑑みてなされたものであって、その目的とするところは、ファンのファン筐体を覆って保持する保持部及び保持部と一体的に形成されたダクト部を有する防震部材でファンを覆い、防震部材で覆われたファンを機器筐体に装着することにより、ファンが発する振動が機器筐体へ伝わることを防震部材の保持部により防止し、ファンの吸気又は排気が機器筐体内に漏れることをダクト部により防止することができる電気機器を提供することにある。
【０００８】
また本発明の他の目的とするところは、防震部材で覆われたファンを機器筐体の装着部に装着した場合に、防震部材の保持部が装着部と接触する部分を厚く形成することにより、ファンが発する振動が機器筐体へ伝わりにくい防震部材を提供することにある。
【０００９】
また本発明の他の目的とするところは、ダクト部の延出端部に鍔部を形成することにより、ダクト部の延出端部を通気口が形成された電気機器の機器筐体に当接させた場合に、ダクト部内の密閉性を高めることができ、よりファンの吸気又は排気が機器筐体内に漏れることを防止できる電気機器を提供することにある。
【００１０】
また本発明の他の目的とするところは、装着部にファン及び防震部材を装着した場合に、防震部材に設けられたダクト部の端部が、機器筐体の通気口が形成された面に当接するようにしておくことにより、ファンの吸気又は排気が機器筐体内に漏れることを確実に防止できる電気機器を提供することにある。
【００１１】
また本発明の他の目的とするところは、機器筐体に防震部材で覆われたファンをスライドして着脱し、機器筐体に形成された通風口に対向するようにファンを装着する装着部を設けることにより、組み立てを簡単に行うことができ、また、防震部材のダクト部によりファンと通気口の間で、ファンの吸気又は排気が機器筐体内に漏れることを防止できる電気機器を提供することにある。
【００１２】
また本発明の他の目的とするところは、機器筐体が蓋部及び本体部に分かれている場合に、防震部材で覆われたファンを機器筐体の内面に沿ってスライド可能に保持するスライド保持部を本体部に設け、スライド保持部に保持されたファンを覆う防震部材に当接して係止する当接係止部を蓋部に設けることにより、蓋部を閉じることでファン及び防震部材を機器筐体に固定することができ、固定にネジ又はナット等の部品を必要とせず、簡単に固定できる電気機器を提供することにある。
【００１３】
また本発明の他の目的とするところは、ファンのファン筐体を覆う保持部と一体的にダクト部を形成し、ファンが発する振動が機器筐体へ伝わることを防止する機能及びファンの吸気又は排気が機器筐体内に漏れることを防止する機能を一つの部材で実現することができる防震部材を提供することにある。
【００１４】
また本発明の他の目的とするところは、ダクト部の延出端に鍔部を形成することにより、ダクト部内の密閉性を高めることができ、ファンの吸気又は排気が漏れることを防止できる防震部材を提供することにある。
【課題を解決するための手段】
【００１５】
本発明に係る電気機器は、吸気及び排気を行う通気面を有するファン筐体に羽根部材を収納したファンと、通気口が形成され、前記ファンを装着する装着部を有する機器筐体と、前記ファン及び前記機器筐体の間に介在して、前記ファンが発する振動を吸収する防震部材とを備える電気機器において、前記防震部材は、前記ファン筐体の前記通気面を開放した状態で、前記ファン筐体を覆って保持する保持部と、該保持部と一体的に形成してあり、前記通気面の周囲を囲むように延出したダクト部とを有することを特徴とする。
【００１６】
本発明においては、ファンのファン筐体を覆って保持する防震部材の保持部に一体的にダクト部を形成し、防震部材で覆われたファンを機器筐体の通風口に対向させて装着する。保持部がファンが発する振動を吸収するため、機器筐体へ振動が伝わることがない。また、ダクト部によって通気口からファンへ又はファンから通気口へ空気を確実に導き、ファンの吸気又は排気を機器筐体内へ漏洩させない。
【００１７】
また、本発明に係る電気機器は、前記保持部が、前記防震部材で覆われた前記ファンを前記装着部に装着した場合に、前記装着部と接触する部分を他の部分よりも厚く形成してあることを特徴とする。
【００１８】
本発明においては、防震部材が機器筐体と接触する部分を厚く形成しておき、ファンの動作に伴って発生する振動が、防震部材から機器筐体へより伝わりにくくする。
【００１９】
また、本発明に係る電気機器は、前記防震部材の前記ダクト部の延出端に鍔部が形成してあることを特徴とする。
【００２０】
本発明においては、防震部材のダクト部の延出端に鍔部を形成し、防震部材で覆われたファンを電気機器に取り付ける場合に、機器筐体の通気口が形成された面にダクト部の延出端を接触するようにする。このとき、鍔部により機器筐体にダクト部が密接するため、ダクト部を通る空気が機器筐体に漏れにくい。
【００２１】
また、本発明に係る電気機器は、前記装着部が、前記ダクト部の延出端を前記機器筐体の前記通風口が形成された面に当接させて、前記防震部材で覆われた前記ファンを装着するようにしてあることを特徴とする。
【００２２】
本発明においては、防震部材で覆われたファンを機器筐体に装着した場合に、防震部材のダクト部の端部を、通風口が形成された機器筐体の内面に当接させて、ダクト部によりファンからの排気を確実に通風口へ導く、又はファンへの吸気を確実に通風口から導く。
【００２３】
また、本発明に係る電気機器は、前記装着部が、前記ファンを前記機器筐体の内面に沿ってスライドさせて着脱し、前記通風口に対向して装着するようにしてあることを特徴とする。
【００２４】
本発明においては、防震部材で覆われたファンを機器筐体にスライドさせて着脱するようにして、組み立てを簡単に行えるようにする。また、防震部材で覆われたファンを機器筐体に装着した場合に、ファンが機器筐体の通風口と対向するようにして、防震部材に設けられたダクト部によりファンからの排気を通風口へ導く、又はファンへの吸気を通風口から導く。
【００２５】
また、本発明に係る電気機器は、前記機器筐体が開閉可能な蓋部及び該蓋部に覆われる本体部を有し、前記装着部は、前記本体部に設けてあり、前記防震部材で覆われた前記ファンを前記本体部の内面に沿ってスライド可能に保持するスライド保持部と、前記蓋部に設けてあり、該蓋部を閉じた場合に、前記スライド保持部に保持された前記ファンを覆う前記防震部材に当接し、前記ファン及び前記防震部材を係止する当接係止部とを有することを特徴とする。
【００２６】
本発明においては、機器筐体の本体部に設けられたスライド保持部に、防震部材で覆われたファンをスライドさせて保持させ、次いで機器筐体の蓋部を閉じて、蓋部に設けられた当接係止部により防震部材を固定する。ファン及び防震部材を機器筐体に固定する場合に、ネジ又はナット等の部品が必要ないため、簡単に組み立てることができる。
【００２７】
また、本発明に係る防震部材は、吸気及び排気を行う通気面を有するファン筐体に羽根部材を収納したファンが発する振動を吸収する防震部材において、前記ファン筐体の前記通気面を開放した状態で、前記ファン筐体を覆って保持する保持部と、該保持部と一体的に形成してあり、前記通気面の周囲を囲むように延出したダクト部とを備えることを特徴とする。
【００２８】
本発明においては、ファンのファン筐体を覆って保持する保持部と一体的にダクト部を形成する。ファンが発する振動は保持部によって吸収され、ファンを収容する機器筐体へ伝わらない。また、ファンからの排気又はファンへの吸気はダクト部によって吸気口へ又は吸気口から導かれ、機器筐体内へ漏洩しない。
【００２９】
また、本発明に係る防震部材は、前記ダクト部の延出端に鍔部が形成してあることを特徴とする。
【００３０】
本発明においては、ダクト部の延出端に鍔部を形成し、防震部材で覆われたファンを電気機器に取り付ける場合に、機器筐体の通気口が形成された面にダクト部の延出端を接触するようにする。このとき、鍔部により機器筐体にダクト部が密接するため、ダクト部を通る空気が機器筐体に漏洩しにくい。
【発明の効果】
【００３１】
本発明による場合は、ファンのファン筐体を覆って保持する保持部及び保持部と一体的に形成されたダクト部を有する防震部材でファンを覆い、防震部材で覆われたファンを機器筐体に装着することにより、ファンが発する振動が機器筐体へ伝わることを防震部材の保持部により防止できるため、電気機器を静粛に動作させることができる。また、ファンの吸気又は排気が機器筐体内に漏れることをダクト部により防止することができるため、機器筐体内部の冷却を効率よく行うことができる。また、振動が機器筐体へ伝わることを防止する機能及び吸気又は排気が機器筐体内に漏れることを防止する機能を防震部材１つで実現することができるため、部品数が少なく、組み立てが簡単であり、製造コストを安価にできる。
【００３２】
また本発明による場合は、防震部材で覆われたファンを機器筐体の装着部に装着した場合に、防震部材の保持部が装着部と接触する部分を厚く形成することにより、ファンが発する振動が機器筐体へ伝わることをより確実に防止することができるため、電気機器をより静粛に動作させることができる。
【００３３】
また本発明による場合は、ダクト部の延出端部に鍔部を形成することにより、ダクト部の延出端部を通気口が形成された電気機器の機器筐体に当接させた場合に、ダクト部内の密閉性を高めることができるため、よりファンの吸気又は排気が機器筐体内に漏れることを防止でき、より機器筐体の内部の冷却を効率よく行うことができる。
【００３４】
また本発明による場合は、装着部にファン及び防震部材を装着した場合に、防震部材に設けられたダクト部の端部が、機器筐体の通気口が形成された面に当接するようにしておくことにより、ファンの吸気又は排気が機器筐体内に漏れることを確実に防止できるため、より機器筐体の内部の冷却を効率よく行うことができる。
【００３５】
また本発明による場合は、機器筐体に防震部材で覆われたファンをスライドして着脱し、機器筐体に形成された通風口に対向するようにファンを装着する装着部を設けることにより、組み立てを簡単に行うことができるため製造コストを安価にでき、また、防震部材のダクト部によりファンと通気口の間で、ファンの吸気又は排気が機器筐体内に漏れることを防止できるため、機器筐体の内部の冷却を効率よく行うことができる。
【００３６】
また本発明による場合は、機器筐体が蓋部及び本体部に分かれている場合に、防震部材で覆われたファンを機器筐体の内面に沿ってスライド可能に保持するスライド保持部を本体部に設け、スライド保持部に保持されたファンを覆う防震部材に当接して係止する当接係止部を蓋部に設けることにより、蓋部を閉じることでファン及び防震部材を機器筐体に簡単に固定することができ、固定にネジ又はナット等の部品を必要としないため、組み立てを簡単に行うことができ、製造コストを安価にすることができる。
【００３７】
また本発明による場合は、ファンのファン筐体を覆う保持部と一体的にダクト部を形成することにより、ファンが発する振動が機器筐体へ伝わることを防止する機能及びファンの吸気又は排気が機器筐体内に漏れることを防止する機能を一つの部材で実現することができるため、部品数が少なく、組み立てが簡単であり、製造コストを安価にできる。
【００３８】
また本発明による場合は、ダクト部の延出端に鍔部を形成することにより、ダクト部内の密閉性を高めることができるため、ファンの吸気又は排気が漏れることを防止でき、よりファンの吸気又は排気が機器筐体内に漏れることを防止でき、機器筐体の内部の冷却を効率よく行うことができる。
【発明を実施するための最良の形態】
【００３９】
以下、本発明をその実施の形態を示す図面に基づき具体的に説明する。なお、本実施の形態においては、電気機器としてプロジェクタを例に説明を行う。
（実施の形態１）
図１は、本発明に係るプロジェクタの構成を示す模式的分解斜視図である。図において１は、プロジェクタの機器筐体であり、機器筐体１は扁平な直方体形状をなし、機器筐体１の底面、左右側面及び後側面を有する本体部１ａと、機器筐体１の上面及び前側面を有する蓋部１ｂとに分かれている。機器筐体１内には、画像投射ユニット２、回路基板３及び３つの排気用のファン２０、２０…等が収容してあり、機器筐体１の前側面に形成された貫通孔５からは投射レンズを有する鏡筒４が突出するようにしてある。
【００４０】
画像投射ユニット２は、原画像を表示する画像商事パネル、画像表示パネルの一面に光を照射する投光ランプ及び画像表示パネルの他面から透過光を外部に投射する投射レンズ等を備えており、投射レンズからスクリーンへ原画像を拡大表示する公知の構成を有している。図中の画像投射ユニット２は、投射レンズの鏡筒４が一側に突設され、他の構成部材を内蔵するユニット筐体として図示してあり、機器筐体１内のほぼ全域を占めるように収容してある。また、回路基板３は、電源ＩＣ及び制御ＩＣ等が実装してあり、画像投射ユニット２の後上側を覆うように取り付けてある。
【００４１】
画像投射ユニット２は投光ランプを備えているため、画像投射ユニット２の動作と共に機器筐体１内の温度が上昇する。画像投射ユニット２によって熱せられた空気を機器筐体１の外部へ排出するために、機器筐体１の左右の側面には複数の通気口６、６…が格子状に並べて形成してあり、更に、機器筐体１の左側部には排気用のファン２０、２０…を装着するためのファン装着部１０が設けてあり、ファン装着部１０にファン２０、２０…がそれぞれ防震部材３０、３０…に覆われた状態で装着してある。
【００４２】
図２は、本発明に係るプロジェクタのファン装着部１０近傍を拡大した拡大斜視図であり、ファン装着部１０に２つのファン２０、２０を装着した状態を図示してあり、蓋部１ｂは図示を省略している。また、図３は、本発明に係る防震部材３０の構成を示す背面斜視図であり、図４は、本発明に係る防震部材３０がファン２０を覆った状態を示す背面斜視図である。また、図５は、本発明に係るプロジェクタの蓋部１ｂの拡大斜視図であり、本体部１ａに固定した場合に、ファン２０、２０…の上側を覆う部分の近傍を拡大した図である。また、図６は、本発明に係るプロジェクタのファン装着部１０に防震部材３０で覆われたファン２０を装着した状態を示す側断面図である。
【００４３】
ファン２０は、モータ２３により回転駆動される羽根部材２１及び羽根部材２１の周囲を囲んで羽根部材２１を回転可能に保持する環状のファン筐体２２を備える構成であり、全体で扁平な略直方体形状をなしている。ファン２０の略正方形の２つの広い面に直交する回転軸を中心に、羽根部材２１は回転するようにしてあり、ファン２０の２つの広い面は、正面が空気を吸い込む吸気面をなし、背面が空気を排出する排気面をなす。即ち、ファン２０はいわゆる軸流ファンである。
【００４４】
ファン２０及び機器筐体１の間に介在して、ファン２０が発する振動が機器筐体１へ伝わることを防止するための防震部材３０は、ゴムにより一体的に成形されるものであり、略矩形の環状をなしている。防震部材３０は、ファン２０の周側面を覆う周面被覆部３１ａ、ファン２０の正面の４つの角部分にそれぞれ当接して、ファン２０を係止する正面係止部３１ｂ、３１ｂ…及びファン２０の背面の４つの角部分にそれぞれ当接して、ファン２０を係止する背面係止部３１ｃ、３１ｃ…によりファン２０を保持するファン保持部３１を備えており、防震部材３０がファン２０の周囲を弾性材で覆って保持することにより、ファン２０が発する振動を吸収するようにしてある。
【００４５】
また、防震部材３０の背面には、ファン保持部３１の周面被覆部３１ａの背面側の端部を、ファン２０の背面の周囲を囲むように、ファン２０の背面に略垂直な方向に延出させた態様のダクト部３２が形成してある。ただし、ダクト部３２は、ファン２０の背面の周囲一周を全て囲んで形成されるのではなく、周囲の略半分程度を囲んでおり、略正方形の防震部材３０の正面の一辺と、該一辺と交差する２つの辺の該一辺側の端から略中央までとに設けてある。
【００４６】
また、防震部材３０の周面被覆部３１ａには、８つの略矩形状の開口３３、３３…が周方向に並べて形成してあり、ファン２０の各側面に２つの開口３３、３３…が対応するようにしてある。また、防震部材３０の周面被覆部３１ａは、弾性材の厚さを厚く形成した２つの肉厚部分３４、３４を有しており、肉厚部分３４、３４の一方は周面被覆部３１ａの正面側の縁近傍の厚みを増したものであり、他方は周面被覆部３１ａの背面側の縁近傍の厚みを増したものである。
【００４７】
ファン装着部１０は、機器筐体１の本体部１ａの側面に形成された通気口６、６…にファン２０の排気面をなす背面が対向するように、防震部材３０で覆われたファン２０を装着するようにしてある。ファン装着部１０には、機器筐体１の本体部１ａの底面から上側へ立設された水平断面が略Ｕ字形をなす２つのスライド保持部４０、４０が、内部にファン２０及び防震部材３０が収まるように、対向させて配してあり、２つのスライド保持部４０、４０によって、本体部１ａの側面に沿ってファン２０及び防震部材３０を装着するようにしてある。また、スライド保持部４０、４０は、装着されたファン２０及び防震部材３０の下端から略中央までの部分を挟持するようにしてある。なお、ファン装着部１０には３つのファン２０が装着できるように、合計６つのスライド保持部４０、４０…が、２つずつを組にして、配してある。
【００４８】
各スライド保持部４０、４０…は、ファン２０及び防震部材３０の両側面をなす防震部材３０の周面被覆部３１に当接する略長方形の周面当接板４１、４１…と、周面当接板４１、４１…に略直交して周面当接板４１、４１…の両側面に固定され、防震部材３０の正面係止部３１ｂ、３１ｂ…に当接する正面当接板４２、４２…及び背面係止部３１ｃに当接する背面当接板４３、４３…とを備える構成であり、周面当接板４１、４１…、正面当接板４２、４２…及び背面当接板４３、４３…は、機器筐体１の本体部１ａの底面と一体的に形成してある。また、正面当接板４２、４２…及び背面当接板４３、４３…は、ファン２０の通気の妨げとならないように、ファン２０及び防震部材３０の略正方形の正面及び背面の下側の２つの角部分に当接するように略三角形にしてあり、防震部材３０の正面及び背面の中央から下までを覆うようにしてある。また、正面当接板４２、４２…及び背面当接板４３、４３…の厚さは、防震部材３０のダクト部３２の延出長と略等しい。
【００４９】
なお、それぞれ別のファン２０及び防震部材３０を挟持するスライド保持部４０、４０…のうち、隣り合って配してある２つのスライド保持部４０、４０…においては、それぞれの周面当接板４１、４１…を兼用することが可能であり、この場合、２つの水平断面が略Ｕ字形のスライド保持部４０、４０…が一体化して、水平断面が略Ｈ字形をなす。図２においては、機器筐体１の正面から２番目及び３番目の略Ｕ字形のスライド保持部４０、４０を一体化して略Ｈ字形にしてあり、隣り合うスライド保持部４０を一体化することで、ファン２０の装着スペースを小さくすることができる。
【００５０】
また、防震部材３０に覆われたファン２０をファン装着部１０に装着する場合には、防震部材３０の背面に形成されたダクト部３２が上側になるように装着する。このとき、ダクト部３２の端部は、通気口６、６…が形成された機器筐体１の側面の内側に当接し、ファン２０からの排気が機器筐体１内に漏れないようにしてある。また、ダクト部３２の延出長及び背面当接板４３、４３…の厚さは略等しくしてあり、ダクト部３２が設けられていない防震部材３０の背面の下側は背面当接板４３、４３…により塞がれ、排気が漏れないようにしてある。
【００５１】
機器筐体１の蓋部１ｂには、蓋部１ｂを本体部１ａに固定した場合に、ファン装着部１０に装着されたファン２０を覆う防震部材３０の上側面に当接し、ファン２０及び防震部材３０を固定する３つの当接突起部５０、５０…が、蓋部１ｂの内面に突設してある。当接突起部５０、５０…のそれぞれは、平面視が略矩形状であり、矩形の４つの頂点に対応する位置に突接された４つの円柱突起５１、５１…と、矩形の各辺に対応し、隣り合う円柱突起５１、５１…を連結する略長方形の板状の４つの連結突起５２、５２…とを有している。円柱突起５１、５１…の突出長は、連結突起５２、５２…の突出長より大きくしてあるため、蓋部１ｂを本体部１ａに固定した場合には、円柱突起５１、５１…がファン２０を覆う防震部材３０の上面に当接する。なお、円柱突起５１、５１…は防震部材３０の上面の肉厚部分３４、３４に当接するようにしてある。
【００５２】
以上の構成のプロジェクタにおいて、ファン２０を機器筐体１のファン装着部１０に装着する場合には、まず、防震部材３０を弾性変形させてファン２０を防震部材３０内に収容し、防震部材３０で覆われたファン２０を機器筐体１の本体部１ａに設けられたスライド保持部４０、４０…にスライドさせて装着する。これにより、防震部材３０の下面が機器筐体１の底部に当接し、正面、背面及び両側面がスライド保持部４０、４０…に当接して挟持されるため、ファン２０及び防震部材３０は、上方向以外に不動となる。次いで、機器筐体１の蓋部１ｂを閉じて本体部１ａに固定することで、蓋部１ｂに設けられた当接突起部５０、５０…が防震部材３０の上面に当接し、ファン２０及び防震部材３０を固定する。
【００５３】
ファン２０及び防震部材３０をファン装着部１０に装着した場合、防震部材３０と機器筐体１の底面、周面当接板４１、４１…及び当接突起部５０、５０…とは、防震部材３０の肉厚部分３４、３４にて当接するようにしてあるため、ファン２０が発する振動が機器筐体１へ伝わりにくい。また、ファン２０からの排気は防震部材３０のダクト部３２及びスライド保持部４０、４０…の背面当接板４３、４３…によって、機器筐体１内に漏れることがないため、機器筐体１内に収容された画像投射ユニット２及び回路基板３等の冷却を効率よく行うことができる。
【００５４】
なお、本実施の形態においては、ファン２０を機器筐体１内の空気の排気を行うための排気用のファンとしたが、これに限るものではなく、機器筐体１内に空気を吸入する吸気用のファンであってもよい。また、ファン２０を軸流ファンとしたが、これに限るものではなく、斜流ファン、横流ファン又は遠心ファン等であっても同様の構成を適用することができる。また、ファン装着部１０のスライド保持部４０、４０…及び当接突起部５０、５０…の形状は一例であって、この形状に限るものではない。また、防震部材３０をゴム製としたが、これに限るものではなく、例えばポリウレタン、塩化ビニル、塩化ポリエチレン及びシリコンフォーム等の弾性材を用いて形成してもよい。また、本実施の形態においては、電気機器としてプロジェクタを例に説明を行ったが、これに限るものではなく、例えばコンピュータ又はテレビジョン装置等の他の電気機器であっても同様の構成を適用することができる。
【００５５】
（実施の形態２）
図７は、本発明の実施の形態２に係る防震部材の構成を示す背面斜視図であり、図８は、本発明に係るプロジェクタのファン装着部に防震部材で覆われたファン２０を装着した状態を示す側断面図である。
【００５６】
実施の形態２にかかるプロジェクタのファン装着部１０ａは、ファン２０を覆ってファン２０が発する振動が機器筐体１へ伝わること防止する防震部材６０をスライド可能に保持し、防震部材６０の下部を挟持するスライド保持部４０、４０…及び防震部材６０の上面に当接する当接突起部５０、５０…が、実施の形態１の場合と比較して、通風口６、６…が形成された機器筐体１の側面から若干遠い位置に設けてある。このため、防震部材６０の背面に設けたダクト部６２は、実施の形態１に係る防震部材３０のダクト部３２と比較して、延出長を長くしてある。
【００５７】
また、ダクト部６２の延出方向の中途部には、ダクト部６２の周囲の略半周をＵ字形のスリット状に切り欠いた切り欠き６２ａが形成してある。ファン２０及び防震部材６０をスライド保持部４０、４０…に挟持させた場合、スライド保持部４０、４０…の背面当接板４３、４３…がダクト部６２の切り欠き６２ａからダクト部６２の内部へ挿入され、背面当接板４３、４３…によって切り欠き６２ａが塞がれるようにしてある。
【００５８】
また、ダクト部６２の延出端には、防震部材６０をファン装着部１０ａに装着した場合の上側及び両側に、鍔部６２ｂが設けてある。鍔部６２ｂは、防震部材６０をファン装着部１０ａに装着した場合に、機器筐体１の本体部１ａの通気口６、６…が形成された側面に密着し、ダクト部６２の密閉性を高めている。
【００５９】
以上の構成のプロジェクタにおいては、実施の形態１の場合と同様に、ファン２０が発する振動を防震部材６０によって機器筐体１へ伝わることを防ぐことができ、ファン２０からの排気が機器筐体１内へ漏れることなく、ダクト部６２により排気を通風口６、６…へ導き、通風口６、６…から機器筐体外部へ排出することができる。
【００６０】
なお、防震部材６０のダクト部６２は、プロジェクタのファン装着部１０ａの構成によって、最適な形状に形成することができる。例えば、ファン２０の排気面と通風口６、６…が形成された機器筐体１の側面とが対向していない場合には、ダクト部６２を途中で湾曲又は屈曲させて、ファン２０からの排気を通風口６、６…が形成された機器筐体１の側面まで導くようにしてもよい。
【００６１】
実施の形態２に係るプロジェクタのその他の構成は、実施の形態１に係るプロジェクタの構成と同様であるため、対応する箇所には同じ符号を付して詳細な説明を省略する。
【００６２】
（実施の形態３）
図９は、本発明の実施の形態３に係る防震部材の構成を示す正面斜視図であり、防震部材と共に防震部材で覆われるファンを図示してある。実施の形態３に係る防震部材７０は、シロッコファン８０の周囲側面を覆って、シロッコファン８０が発する振動が機器筐体１に伝わることを防止する。
【００６３】
シロッコファン８０は、羽根部材として遠心羽根車８１を略円板形のファン筐体８２内に備えている。ファン筐体８２には、略円形の２つの平面の一方に吸気口８３が形成してあり、側面に排気口８４が形成してあり、遠心羽根車８１の回転軸方向から空気を吸い込み、遠心羽根車８１の回転円の接線方向に空気を排出するようにしてある。
【００６４】
シロッコファン８０を覆う防震部材７０は、ゴムにより一体的に成形されるものであり、中心に略円形の孔を有する略矩形の環状をなしている。防震部材７０は、シロッコファン８０の周側面を覆う周面被覆部７１ａ、シロッコファン８０の正面の周縁部分に当接して、シロッコファン８０を係止する正面係止部７１ｂ及びシロッコファンの背面の周縁部分に当接して、シロッコファン８０を係止する背面係止部７１ｃによりシロッコファン８０を保持するファン保持部７１を備えており、防震部材７０がシロッコファン８０の周囲を弾性材で覆って保持することにより、シロッコファン８０が発する振動を吸収するようにしてある。
【００６５】
また、防震部材７０の正面には、正面係止部７１ｂの外縁を囲むように、周面被覆部７１ａの端部を延出させた態様のダクト部７２が形成してある。ただし、ダクト部７２は、正面係止部７１ｂの周囲一周を全て囲んで形成されるのではなく、周囲の略半分程度を囲んでおり、略正方形の防震部材７０の正面の一辺と、該一辺と交差する２つの辺の該一辺側の端から略中央までとに設けてある。
【００６６】
また、防震部材７０の周面被覆部７１ａには、防震部材７０がシロッコファン８０を覆った場合に、シロッコファン８０の排気口８４に対応する位置に、開口部７１ｄが形成してあり、開口部７１ｄからシロッコファン８０の排気を排出するようにしてある。
【００６７】
以上の構成の実施の形態３に係る防震部材７０は、実施の形態１に係る防震部材３０と略同じ外形であるため、実施の形態１に係るファン装着部１０に同様にして装着することが可能であり、シロッコファン８０の排気口８４に対応して防震部材７０のファン保持部７１に開口部７１ｄを形成することで、軸流ファン以外のファンであっても同様の構成でファンの発する振動が機器筐体１に伝わることを防止することができる。
【００６８】
なお、実施の形態３に係る防震部材７０においても、実施の形態１に係る防震部材３０と同様に、機器筐体１との接触部分の厚さを厚く形成してもよく、また、実施の形態２に係る防震部材６０と同様に、ダクト部７２の延出端に鍔部を設けてもよい。また、シロッコファン８０の吸気口８３側にダクト部を設ける構成を示したが、これに限るものではなく、排気口８４側、即ちファン保持部７１の開口部７１ｄの周囲にダクト部を設ける構成であってもよい。
【図面の簡単な説明】
【００６９】
【図１】本発明に係るプロジェクタの構成を示す模式的分解斜視図である。
【図２】本発明に係るプロジェクタのファン装着部近傍を拡大した拡大斜視図である。
【図３】本発明に係る防震部材の構成を示す背面斜視図である。
【図４】本発明に係る防震部材がファンを覆った状態を示す背面斜視図である。
【図５】本発明に係るプロジェクタの蓋部の拡大斜視図である。
【図６】本発明に係るプロジェクタのファン装着部に防震部材で覆われたファンを装着した状態を示す側断面図である。
【図７】本発明の実施の形態２に係る防震部材の構成を示す背面斜視図である。
【図８】本発明に係るプロジェクタのファン装着部に防震部材で覆われたファンを装着した状態を示す側断面図である。
【図９】本発明の実施の形態３に係る防震部材の構成を示す正面斜視図である。
【符号の説明】
【００７０】
１  機器筐体
１ａ  本体部
１ｂ  蓋部
６  通風口
１０  ファン装着部
２０  ファン
２１  羽根部材
２２  ファン筐体
３０、６０、７０  防震部材
３１、７１  ファン保持部
３２、６２、７２  ダクト部
３４  肉厚部分
４０  スライド保持部
５０  当接突起部
６２ｂ  鍔部
８０  シロッコファン
８１  遠心羽根車
８２  ファン筐体
【図１】
2006330300.tif 000003
【図２】
2006330300.tif 000004
【図３】
2006330300.tif 000005
【図４】
2006330300.tif 000006
【図５】
2006330300.tif 000007
【図６】
2006330300.tif 000008
【図７】
2006330300.tif 000009
【図８】
2006330300.tif 000010
【図９】
2006330300.tif 000011